(57)【要約】【課題】足をほぼ垂直な平面内において旋回動作可能であって、しかも左右の足が同時に左右の方向に一緒に回動することができるとともに、左右の足を互いに逆方向にも旋回したり開いたりすることが可能なようにした股関節矯正装置を提供する。【解決手段】基体１０上に立設された左右一対ずつの取付け板１８によって支点ピン１９を介して、回動レバー２０を回動可能に取付けるようにし、これらの回動レバー２０をゴムひも２４によってほぼ直立する位置に回動されるように付勢し、さらに上記回動レバー２０の上端に、Ｕ字状をなす受け部材３５を取付け部３６を介して移動調整可能に取付けるようにし、左右の足を同時に左方向あるいは右方向に旋回させる場合には、回動レバー２０を連結バー３０によって連結する。これに対して左右の足を互いに独立に横方向に大きく広げて股関節の可動範囲を拡大する場合には、連結バー３０を取外して左右の回動レバー２０を互いに別々に回動できるようにする。【選択図】図８
0003130880.tif 000002
【実用新案登録請求の範囲】
【請求項１】
基体と、
前記基体上において該基体に対して回動自在に取付けられている一対の回動レバーと、
前記回動レバーの先端部に取付けられ、足首を受入れる受け部材と、
を具備する股関節矯正装置。
【請求項２】
前記基体の長さ方向の両端の近傍の両側にそれぞれ引出しおよび収納可能な支持脚が取付けられていることを特徴とする請求項１に記載の股関節矯正装置。
【請求項３】
前記回動レバーが前記基体に立設された取付け板によって支点ピンを介して回動自在に支持され、ほぼ垂直な平面内において回動運動を行なうことを特徴とする請求項１に記載の股関節矯正装置。
【請求項４】
前記一対の回動レバーの支点ピン間の距離が、左右の足を軽く開いたときの左右の足首の間の距離に等しいことを特徴とする請求項３に記載の股関節矯正装置。
【請求項５】
前記一対の回動レバーの支点ピンに対して先端側に所定の距離離れたそれぞれの位置を取外し可能に連結する連結バーを有し、該連結バーを取付けると前記一対の回動レバーが連動して回動するとともに、前記連結レバーを取外すと前記一対の回動レバーが互いに独立して回動することを特徴とする請求項３に記載の股関節矯正装置。
【請求項６】
前記一対の回動レバーがそれぞれ付勢手段を備え、該付勢手段によって前記回動レバーが直立する位置へ回動するように付勢されることを特徴とする請求項３に記載の股関節矯正装置。
【請求項７】
前記受け部材が足首を受入れるようにほぼＵ字状に形成され、該受け部材から下方に延出される取付け部を備えることを特徴とする請求項１に記載の股関節矯正装置。
【請求項８】
前記受け部材の取付け部が前記回動レバーに対して引出し可能であって、前記回動レバーに対して該回動レバーの長さ方向に調整自在に取付けられることを特徴とする請求項７に記載の股関節矯正装置。
【考案の詳細な説明】
【技術分野】
【０００１】
本考案は股関節矯正装置に係り、とくに股関節を柔らかく整えるようにした股関節矯正装置に関する。
【背景技術】
【０００２】
股関節は、腰よりも上側の部分の体重がかかるために大きな重量を負担しなければならない。また身体全体の動きを支える重要な部分であって、腰骨は身体の中でも最も負担のかかる部分である。このような股関節が、加齢で固くなったり、無理な姿勢を続けることで歪むようになる。このような歪んだ股関節は何等かの方法によって矯正されなればならない。通常はこのような股関節の矯正は、例えば整体治療等の人手による治療によって行なわれる。
【０００３】
特開２００２−２００１９４号公報には、基盤上に自在継ぎ手を介して可動部材の中央部を水平方向に回動自在に且つ上下方向に搖動自在に支持し、この可動部材の両側部上に両足を載せて上記回動部材を所望方向に変動させることにより足の運動を行なうようにし、運動者が可動部材上に載って一方の足を踏み込んだり或いは両方の足を互いに前後方向にずらしたりすることにより、股関節の可動域を広くしたり或いは大腿部のストレッチ及び筋力の向上を図るようにし、股関節を動かして股関節の可動域を広げると共に大腿部の筋力を柔軟にし且つ向上させるようにした運動具が開示されている。
【０００４】
このような構成の運動具は、可動部材の両側部上にそれぞれ両足を載せるようにしているために、左右の足の動きが逆方向になり、しかも上下方向の運動に実質的に限定される。すなわち足の開閉による股関節の矯正を行なうことができず、これによって矯正効果が低い欠点がある。
【０００５】
特開２００５−２１１３２７号公報には、左右の膝の間に開脚レバーを挟むようにして座板に腰掛け、自ら脚を開閉する開閉運動を行なう際に、開き難い開脚方向へは開脚レバーの付勢力を借りて股関節を伸ばし、閉じやすい閉脚方向へは開脚レバーの付勢力に抗して股関節を収縮する開閉運動を行なうことができるようにし、座板の下面側に、腰掛けた姿勢で左右両脚の大腿部内側に当接されて、大腿部を強制的に押し広げることができない力で開脚方向に付勢する開脚レバーを設けるようにした股関節ストレッチ用具が開示されている。
【０００６】
このような股関節ストレッチ用具は、左右の足を互いに同期して閉じる方向あるいは開く方向にそれぞれ回動させる運動しかできず、ほぼ水平面内における足の開閉運動しか行なうことができない。従って左右の足を一緒に左方向あるいは右方向に旋回させるような捻り運動を行なうことができない。また垂直平面内における旋回運動を行なうことができない。
【特許文献１】特開２００２−２００１９４号公報
【特許文献２】特開２００５−２１１３２７号公報
【考案の開示】
【考案が解決しようとする課題】
【０００７】
本願考案の課題は、股関節の矯正効果に優れた股関節矯正装置を提供することである。
【０００８】
本願考案の別の課題は、足の運動の自由度が高い股関節矯正装置を提供することである。
【０００９】
本願考案のさらに別の課題は、ほぼ垂直な平面内において足を旋回することができるようにした股関節矯正装置を提供することである。
【００１０】
本願考案のさらに別の課題は、左右の足を同時に左方向あるいは右方向に旋回させることが可能な股関節矯正装置を提供することである。
【００１１】
本願考案の上記の課題および別の課題は、以下に述べる本願考案の技術的思想およびその実施の形態によって明らかにされる。
【課題を解決するための手段】
【００１２】
本願の主要な考案は、基体と、
前記基体上において該基体に対して回動自在に取付けられている一対の回動レバーと、
前記回動レバーの先端部に取付けられ、足首を受入れる受け部材と、
を具備する股関節矯正装置に関するものである。
【００１３】
ここで、前記基体の長さ方向の両端の近傍の両側にそれぞれ引出しおよび収納可能な支持脚が取付けられてよい。また前記回動レバーが前記基体に立設された取付け板によって支点ピンを介して回動自在に支持され、ほぼ垂直な平面内において回動運動を行なうようにしてよい。また前記一対の回動レバーの支点ピン間の距離が、左右の足を軽く開いたときの左右の足首の間の距離に等しいことが好ましい。また前記一対の回動レバーの支点ピンに対して先端側に所定の距離離れたそれぞれの位置を取外し可能に連結する連結バーを有し、該連結バーを取付けると前記一対の回動レバーが連動して回動するとともに、前記連結レバーを取外すと前記一対の回動レバーが互いに独立して回動してよい。また前記一対の回動レバーがそれぞれ付勢手段を備え、該付勢手段によって前記回動レバーが直立する位置へ回動するように付勢されてよい。また前記受け部材が足首を受入れるようにほぼＵ字状に形成され、該受け部材から下方に延出される取付け部を備えてよい。また前記受け部材の取付け部が前記回動レバーに対して引出し可能であって、前記回動レバーに対して該回動レバーの長さ方向に調整自在に取付けられてよい。
【考案の効果】
【００１４】
本願の主要な考案は、基体と、基体上において該基体に対して回動自在に取付けられている一対の回動レバーと、回動レバーの先端部に取付けられ、足首を受入れる受け部材と、を具備するようにしたものである。
【００１５】
従ってこのような股関節矯正装置によると、左右の足の足首を受け部材によって受けた状態で、一対の回動レバーを回動させるように足を旋回させることができ、これによって股関節を効果的に矯正できるようになる。
【考案を実施するための最良の形態】
【００１６】
以下本願考案を図示の実施の形態によって説明する。図１〜図４は、本実施の形態の股関節矯正装置の全体の構成を示しており、図１がその外観斜視図を、図２がその正面図を、図３がその平面図を、図４がその左側面図をそれぞれ示している。
【００１７】
この股関節矯正装置は、断面が長円形の金属製の筒体から成る基体１０を備えており、この基体１０の長さ方向の両端部であってその両側にはそれぞれブラケット１１が溶接によって固着されている。そしてブラケット１１はピン１２を備え、このピン１２によって中空の筒体から成る支持脚１３を回動自在に支持している。支持脚１３の先端側には合成樹脂成形体から成る脚ブロック１４が取付けられている。また上記ブラケット１１の底部には合成樹脂成形体から成る半球状ブロック１５が固着されている。上記脚ブロック１４と半球状ブロック１５とがそれぞれ床面に接した状態で、この股関節矯正装置が床面上に載置されるようになっている。
【００１８】
次に基体１０上における回動レバー２０の取付け構造について説明する。図５に示すように、基体１０の長さ方向の中間位置には、左右一対ずつの取付け板１８が直立して立設されている。そしてこれらの取付け板１８の上端側の部分において、支点ピン１９を介して、左右一対の回動レバー２０が回動自在に取付けられている。上記左右の回動レバー２０の支点ピン１９間の距離は、足を軽く開いたときの足首間の距離に相当する長さであって、例えば２２０ｍｍの値に設定される。
【００１９】
このように基体１０に取付け板１８を介して回動自在に取付けられる回動レバー２０は、図５に示すように直立した位置に戻るように付勢されている。この付勢は、ゴムひも２４によって達成される。図６に示すように、回動レバー２０の下端側には係止ピン２３が植設され、この係止ピン２３がゴムひも２４の一端を係止している。ゴムひも２４は取付け板１８に回転自在に取付けられているコロ２５に掛渡され、基体１０の端部に植設されている係止ピン２６に係止されるようになっている。なお係止ピン２６が植設されている基体１０の端部は、キャップ２７によって閉じられようになっている。
【００２０】
従って支点ピン１９を中心として回動レバー２０が左右の方向に回動されると、ゴムひも２４が伸びるようになり、これによってこのゴムひも２４の弾性復元力で回動レバー２０に対して付勢力を付与することが可能になる。そして係止ピン２３、２６間のゴムひも２４の経路長が最も短くなるのは、図６に示すように回動レバー２０が直立する姿勢である。従ってこの姿勢となるように、ゴムひも２４によって回動レバー２０が回動付勢されることになる。
【００２１】
左右一対の回動レバー２０は図５および図８に示すように、連結バー３０によって着脱可能に連結されるようになっている。連結バー３０は、連結ピン３１を介して左右の回動レバー２０を連結するようになっている。そして連結バー３０で連結されると、左右の回動レバー２０が図８に示すように同時に左方向あるいは右方向に回動される。これに対して連結バー３０を取外した場合には、左右の回動レバー２０は互いに独立に回動運動を行なうことになる。
【００２２】
上記回動レバー２０の上端に取付けられる受け部材３５は、ほぼＵ字状の形状をなし、その内側に足首が受入れられるようになっている（図９、図１０参照）。そしてこの受け部材３５には図７に示すように、下方に延びるように取付け部３６が延出されるようになっている。この取付け部３６には、複数の、例えば４つのピン挿通孔３７が形成されており、このようなピン挿通孔３７に、上記連結バー３０を固定する連結ピン３１が挿入され、これによって受け部材３５の高さ方向の位置調整を行なった状態で、この受け部材３５が回動レバー２０の上端に取付けられることになる。
【００２３】
基体１０の上側の部分には、図１〜４、および図８に示すように、カバー４０が取付けられる。カバー４０はほぼ円弧状をなし、しかも上縁部に沿って開口４１が形成され、このような開口４１を通して上記回動レバー２０が上方に引出されるようになっている。
【００２４】
次に以上のような構成になる本実施の形態の股関節矯正装置の動作について説明する。図９に示すように、左右の回動レバー２０を連結バー３０によって連結した状態で、受け部材３５に両足の足首の部分をそれぞれ挿入する。そしてこのような状態で、腰を捻るようにして、左右の足を左方向あるいは右方向に一緒に旋回させることによって、左右の足が骨盤に対してそれぞれ左方向あるいは右方向に旋回されるために、これによって股関節にかかる歪みが整えられるようになる。従って腰椎や股関節を柔らかく整え、腰痛や股関節の痛みを予防することが可能になる。
【００２５】
これに対して左右の回動レバー２０を連結バー３０によって連結することなく、左右の回動レバー２０を互いに独立して回動させるようにする。これによって左右の足を図１０に示すように互いに外側へ回動させるようにして開くことが可能になる。一般に股関節は年々衰えて固くなる傾向をもっており、このために股関節の可動範囲が狭くなる。従って図１０に示すように左右の足を互いに逆方向に大きく開くようにすると、股関節の可動範囲が広がってほぐれるようになり、身体の無理が集まる股関節を柔らかくし、骨盤を整えることが可能になる。
【００２６】
以上本願考案を図示の実施の形態によって説明したが、本願考案は上記実施の形態によって限定されることなく、本願考案の技術的思想の範囲内において各種の変更が可能である。例えば上記実施の形態における回動レバー２０の付勢の機構として、ゴムひも２４を用いているが、本願考案は必ずしもゴムひも２４によって付勢力を付与するものに限定されることなく、その他各種の付勢手段、例えばばね等を用いて付勢するようにしてもよい。
【産業上の利用可能性】
【００２７】
本願考案は、腰痛や股関節の痛みを予防するための股関節の矯正用運動具として利用することが可能である。
【図面の簡単な説明】
【００２８】
【図１】股関節矯正装置の外観斜視図である。
【図２】同正面図である。
【図３】同平面図である。
【図４】同左側面図である。
【図５】カバーを取外した状態の要部斜視図である。
【図６】回動レバーの付勢機構を示す要部縦断面図である。
【図７】受け部材の正面図である。
【図８】回動レバーによる回動動作を示す正面図である。
【図９】連結バーによって左右の回動レバーを連結した状態で使用している状態を示す斜視図である。
【図１０】連結バーによって左右の回動レバーを連結することなく使用している状態を示す斜視図である。
【符号の説明】
【００２９】
１０  基体
１１  ブラケット
１２  ピン
１３  支持脚
１４  脚ブロック
１５  半球状ブロック
１８  取付け板
１９  支点ピン
２０  回動レバー
２３  係止ピン
２４  ゴムひも
２５  コロ
２６  係止ピン
２７  キャップ
３０  連結バー
３１  連結ピン
３５  受け部材
３６  取付け部
３７  ピン挿通孔
４０  カバー
４１  開口
【図１】
0003130880.tif 000003
【図２】
0003130880.tif 000004
【図３】
0003130880.tif 000005
【図４】
0003130880.tif 000006
【図５】
0003130880.tif 000007
【図６】
0003130880.tif 000008
【図７】
0003130880.tif 000009
【図８】
0003130880.tif 000010
【図９】
0003130880.tif 000011
【図１０】
0003130880.tif 000012